(57)【特許請求の範囲】
【請求項１】
本体筐体と、
この本体筐体の前面に取り付けられる意匠部となるパネルと、
前記本体筐体内に設けられ、送風を行う送風機と、
前記パネルの前面及び上面に形成された吸込口と前記送風機とを結ぶ風路に設けられた熱交換器と、
前記吸込口と前記送風機とを結ぶ風路内の風速の弱い部分の前記吸込口と前記送風機を結ぶ風路内の長手方向端部に設けられ、吸込空気の状態を検知する吸込空気状態検知手段と、
前記吸込口の後方に設けられ、該吸込口の全面を覆うエアフィルターと、
前記エアフィルターの後方に設けられ、前記パネルの前面に形成された吸込口の略全面を覆う空気清浄フィルターとを備え、
前記吸込空気状態検知手段を前記空気清浄フィルターに対して長手方向に重ならないように配置したことを特徴とする空気調和機。
【請求項２】
前記吸込空気状態検知手段はリード線を備え、前記リード線は前記吸込口の下方を通って制御部へ配線されることを特徴とする請求項１記載の空気調和機。
【請求項３】
前記吸込空気状態検知手段を前記パネルに取り付けたことを特徴とする請求項２記載の空気調和機。
【請求項４】
前記熱交換器は前面側熱交換器と背面側熱交換器とを備え、
前記吸込空気状態検知手段を前記前面側熱交換器に取り付けたことを特徴とする請求項２記載の空気調和機。
【請求項５】
前記熱交換器の下方にドレンパンを備え、
前記吸込空気状態検知手段を前記ドレンパンに取り付けたことを特徴とする請求項２記載の空気調和機。
【請求項６】
前記吸込空気状態検知手段をアレルゲン物質を検知するアレルゲンセンサーとしたことを特徴とする請求項１ないし５のいずれかに記載の空気調和機。
【発明の詳細な説明】
【０００１】
【発明の属する技術分野】
この発明は、空気調和機に係り、特に吸込空気の状態を検知する手段の取り付け構造に関するものである。
【０００２】
【従来の技術】
図８、９は従来の壁掛け式の空気調和機の室内機を示す平面図である。図８、９に示すように、本体筐体１と、この本体筐体１の前面に取り付けられる意匠部となるパネル２と、このパネル２の前面及び上面に形成された吸込口３と送風機４を結ぶ風路に熱交換器５とを備えている。この熱交換器５の下方にドレンパン６、右側に制御部７が設けられ、吸込口３の後方に吸込口３の全面を覆うエアフィルター８、このエアフィルター８の後方に空気清浄フィルター９が配置されている。
【０００３】
次に動作について説明する。
上記のように構成された従来の空気調和機においては、パネル２の前面及び上面に形成された吸込口３から取り入れられた空気は吸込口３の後方に設けられたエアフィルター８、このエアフィルター８の後方に設けられた空気清浄フィルター９、熱交換器５を介して送風機４へと送られる。
【０００４】
【発明が解決しようとする課題】
従来の空気調和機は以上のように構成されており、例えばアレルゲンセンサーを配置する際、吸込部での圧力損失を最小に押さえ、かつ充分な性能を確保しなければならないという課題があった。
また、アレルゲンセンサーを取り付ける際、組立性も確保しなければならないという課題があった。
【０００５】
この発明は、上記のような課題を解消するためになされたもので、第１の目的は、アレルゲンセンサーを配置する際、吸込部での圧力損失を最小に押さえ、かつ充分な性能を確保することができる空気調和機を得ることである。
【０００６】
また、第２の目的は、アレルゲンセンサーを取り付ける際のリード線の取り廻しが容易にできる空気調和機を得ることである。
【０００７】
さらに、第３の目的は、アレルゲンセンサーを取り付けたユニットの組立性が向上できる空気調和機を得ることである。
【０００８】
【課題を解決するための手段】
この発明に係る空気調和機は、本体筐体と、この本体筐体の前面に取り付けられる意匠部となるパネルと、本体筐体内に設けられ、送風を行う送風機と、パネルの前面及び上面に形成された吸込口と送風機とを結ぶ風路に設けられた熱交換器と、吸込口と送風機とを結ぶ風路内の風速の弱い部分に設けられ、吸込空気の状態を検知する吸込空気状態検知手段と、を備えたものである。
【０００９】
また、吸込空気状態検知手段を、吸込口と送風機を結ぶ風路内の長手方向端部に設けたものである。
【００１０】
また、吸込空気状態検知手段を、吸込口と送風機とを結ぶ風路内の断面方向で熱交換器の両端部付近の風速の弱い部分に設けたものである。
【００１１】
また、吸込空気状態検知手段を、熱交換器の多段曲げの折り曲げ部または接合部の近傍に設けたものである。
【００１２】
また、吸込口の後方に吸込口を覆うエアフィルターと、このエアフィルターの後方に空気清浄フィルターとを備え、吸込空気状態検知手段を空気清浄フィルターに対して長手方向に重ならないように配置したものである。
【００１３】
また、本体筐体と、この本体筐体の前面に取り付けられる意匠部となるパネルと、本体筐体内に設けられ、送風を行う送風機と、パネルの前面及び上面に形成された吸込口と送風機とを結ぶ風路に設けられた熱交換器と、吸込口と送風機とを結ぶ風路内の下方に設けられ、吸込空気の状態を検知する吸込空気状態検知手段と、この吸込空気状態検知手段が風路内の下方から接続される制御部と、を備えたものである。
【００１４】
また、吸込空気状態検知手段をパネルに取り付けたものである。
【００１５】
また、熱交換器は前面側熱交換器と背面側熱交換器とを備え、吸込空気状態検知手段を前面側熱交換器に取り付けたものである。
【００１６】
また、熱交換器の下方にドレンパンを備え、吸込空気状態検知手段をドレンパンに取り付けたものである。
【００１７】
また、吸込空気状態検知手段をアレルゲン物質を検知するアレルゲンセンサーとしたものである。
【００１８】
【発明の実施の形態】
実施の形態１．
以下、この発明の実施の形態１を図面を参照して説明する。
図１，２は実施の形態１を示す図で、図１は空気調和機の正面図、図２は空気調和機の断面図である。
図において、本体筐体１にパネル２、熱交換器５、ドレンパン６が固定され、パネル２の前面及び上面に形成された吸込口３と送風機４を結ぶ風路内の長手方向（水平方向）端部に吸込空気状態検知手段であるアレルゲンセンサー１０が配置されている。図には前面の吸込口３に設けたものを示しているが、もちろん上面の吸込口３に設けてもよい。
【００１９】
このアレルゲンセンサー１０は空気中を浮遊する埃、塵及び微細な粒子の量を測定することを目的とし、吸込空気がセンサー内を通過する際、それに含まれる埃、塵及び微細な粒子の量を検知する。
例えば、埃センサーもアレルゲンセンサーに含まれる。但し、吸込空気状態検知手段はこれらに限定されるものではなく、他の吸込空気の状態を検知する検知手段でもよい。
【００２０】
次に動作について説明する。
上記のように構成された空気調和機において、パネル２の前面及び上面に形成された吸込口３から取り入れられた空気の一部はアレルゲンセンサー１０を通過し、熱交換器５を介して送風機４へと送られる。
【００２１】
アレルゲンセンサー１０を吸込口３と送風機４を結ぶ風路内の長手方向端部に配置するのは、アレルゲンセンサー１０は通過する風を検知する際に風力が強いと検知できない場合があるので、風力が強い中央部を避けるためである。
【００２２】
上述の実施の形態によれば、風力が強い中央部を避けてパネル２の前面及び上面に形成された吸込口３と送風機４を結ぶ風路内の長手方向端部にアレルゲンセンサー１０を配置することにより、吸込部での圧力損失を最小に押さえ、空気調和機の性能を確保することができる。
【００２３】
実施の形態２．
以下、この発明の実施の形態２を図面を参照して説明する。
図３は実施の形態２を示す図で、空気調和機の断面図である。
図において、本体筐体１にパネル２、熱交換器５、ドレンパン６が固定され、パネル２の前面及び上面に形成された吸込口３と送風機４を結ぶ風路内の断面方向で風速の弱い部分、ここでは熱交換器５の多段曲げの折り曲げ部または熱交換器５の接合部にアレルゲンセンサー１０が配置されている。
【００２４】
上記のように構成された空気調和機において、パネル２の前面及び上面に形成された吸込口３から取り入れられた空気の一部はアレルゲンセンサー１０を通過し、熱交換器５を介して送風機４へと送られる。
【００２５】
上述の実施の形態における空気調和機は、パネル２の前面及び上面に形成された吸込口３と送風機４を結ぶ風路内の断面方向で風速の弱い部分、ここでは熱交換器５の多段曲げの折り曲げ部または熱交換器５の接合部にアレルゲンセンサー１０を配置することにより、吸込部での圧力損失を最小に押さえ、空気調和機の性能を確保することができる。
【００２６】
実施の形態３．
上記実施の形態２では、熱交換器５の多段曲げの折り曲げ部または熱交換器５の接合部にアレルゲンセンサー１０を配置したものを示したが、アレルゲンセンサー１０を、パネル２の前面及び上面に形成された吸込口３と送風機４を結ぶ風路内の断面方向で、熱交換器５の両端部付近の風速の弱い部分に設けてもよい。
【００２７】
実施の形態４．
以下、この発明の実施の形態４を図２，４を参照して説明する。
図４は空気調和機の正面図である。
図２，４において、本体筐体１にパネル２、熱交換器５、ドレンパン６が固定されている。パネル２の前面及び上面に形成された吸込口３と送風機４を結ぶ風路内の吸込口３の後方に吸込口３の全面を覆うエアフィルター８と、このエアフィルター８の後方に空気清浄フィルター９とが設けられている。このエアフィルター８は主として粒子の大きい埃、塵を回収するものであり、吸込部での圧力損失は小さい。
【００２８】
また、上記空気清浄フィルター９は主として粒子の小さい埃、塵を回収するものであり、吸込部での圧力損失がエアフィルター８よりも大きい。アレルゲンセンサー１０は上記エアフィルター８を避け、空気清浄フィルター９に対して長手方向に並列に配置されている。また、ウィルスなどの微細なものを検知するセンサーについてはエアフィルター８の後方に配置してもよい。
【００２９】
上記のように構成された空気調和機において、パネル２の前面及び上面に形成された吸込口３から取り入れられた空気の極一部はアレルゲンセンサー１０を通過し、熱交換器５を介して送風機４へと送られる。また、アレルゲンセンサー１０を通過しない空気は吸込口３の後方に設けられた吸込口３の全面を覆うエアフィルター８、このエアフィルター８の後方に設けられた空気清浄フィルター９を通過し、熱交換器５を介して送風機４へと送られる。
【００３０】
上述の実施の形態における空気調和機は、パネル２の前面及び上面に形成された吸込口３と送風機４を結ぶ風路内に設けられた空気清浄フィルター９に対して長手方向に並列にアレルゲンセンサー１０を配置することにより、吸込部での圧力損失を最小に押さえ、空気調和機の性能を確保することができる。
【００３１】
実施の形態５．
以下、この発明の実施の形態５を図２，４を参照して説明する。
図２，４において、本体筐体１にパネル２、熱交換器５、ドレンパン６が固定されている。パネル２の前面及び上面に形成された吸込口３と送風機４を結ぶ風路内の吸込口３の後方に吸込口３の全面を覆うエアフィルター８、このエアフィルター８の後方に空気清浄フィルター９が設けられている。このエアフィルター８は主として粒子の大きい埃、塵を回収するものであり、吸込部での圧力損失は小さい。
【００３２】
また、上記空気清浄フィルター９は主として粒子の小さい埃、塵を回収するものであり、吸込部での圧力損失がエアフィルター８よりも大きい。アレルゲンセンサー１０はパネル２の前面及び上面に形成された吸込口３と送風機４を結ぶ風路内の下方に配置されている。
また、アレルゲンセンサー１０のリード線１１は吸込口３の下方を通って制御部７へと配線されている。
【００３３】
上記のように構成された空気調和機において、パネル２の前面及び上面に形成された吸込口３から取り入れられた空気の極一部はアレルゲンセンサー１０を通過し、熱交換器５を介して送風機４へと送られる。
また、アレルゲンセンサー１０を通過しない空気は吸込口３の後方に設けられた吸込口３の全面を覆うエアフィルター８、このエアフィルター８の後方に設けられた空気清浄フィルター９を通過し、熱交換器５を介して送風機４へと送られる。
【００３４】
上述の実施の形態における空気調和機は、パネル２の前面及び上面に形成された吸込口３と送風機４を結ぶ風路内の下方にアレルゲンセンサー１０を配置することにより、リード線１１の取り廻しが容易にできる。
【００３５】
実施の形態６．
以下、この発明の実施の形態６を図面を参照して説明する。
図５は実施の形態６を示す図で、空気調和機の断面図である。
図において、パネル２の前面及び上面に形成された吸込口３と送風機４を結ぶ風路内の下方に配置されたアレルゲンセンサー１０はパネル２に固定されている。
【００３６】
上記のように構成された空気調和機において、アレルゲンセンサー１０はパネル２に取り付けたまま本体筐体１に取り付けられる。
【００３７】
上述の実施の形態における空気調和機は、パネル２の前面及び上面に形成された吸込口３と送風機４を結ぶ風路内の下方に配置されたアレルゲンセンサー１０をパネル２に固定することにより、組立性が向上できる。
【００３８】
実施の形態７．
以下、この発明の実施の形態７を図面を参照して説明する。
図６は実施の形態７を示す図で、空気調和機の断面図である。
図において、パネル２の前面及び上面に形成された吸込口３と送風機４を結ぶ風路内の下方に配置されたアレルゲンセンサー１０は前面熱交換器５ａに固定されている。
【００３９】
上記のように構成された空気調和機において、アレルゲンセンサー１０は前面側熱交換器５ａに取り付けたまま本体筐体１に取り付けられる。
図６に示す熱交換器５とアレルゲンセンサー１０は従来のものに比べ、分離方向（上下、左右方向）に新たな規制を加えるものではないので、リサイクル処理における解体時の作業が従来と殆ど変わりなく容易に行える。
【００４０】
上述の実施の形態における空気調和機は、パネル２の前面及び上面に形成された吸込口３と送風機４を結ぶ風路内の下方に配置されたアレルゲンセンサー１０を前面側熱交換器５ａに固定することにより、組立性が向上できる。
【００４１】
実施の形態８．
以下、この発明の実施の形態８を図面を参照して説明する。
図７は実施の形態８を示す図で、空気調和機の断面図である。
図において、パネル２の前面及び上面に形成された吸込口３と送風機４を結ぶ風路内の下方に配置されたアレルゲンセンサー１０はドレンパン６に固定されている。
【００４２】
上記のように構成された空気調和機において、アレルゲンセンサー１０はドレンパン６に取り付けたまま本体筐体１に取り付けられる。
【００４３】
上述の実施の形態における空気調和機は、パネル２の前面及び上面に形成された吸込口３と送風機４を結ぶ風路内の下方に配置されたアレルゲンセンサー１０をドレンパン６に固定することにより、組立性が向上できる。
【００４４】
【発明の効果】
この発明に係る空気調和機は、吸込空気の状態を検知する吸込空気状態検知手段を吸込口と送風機とを結ぶ風路内の風速の弱い部分に設けたので、吸込部での圧力損失を最小に押さえ、性能を確保することができる。
【００４５】
また、吸込空気状態検知手段を空気清浄フィルターに対して長手方向に重ならないように配置したので、吸込部での圧力損失を最小に押さえ、性能を確保することができる。
【００４６】
また、吸込空気の状態を検知する吸込空気状態検知手段を吸込口と送風機とを結ぶ風路内の下方に設け、吸込空気状態検知手段が風路内の下方から制御部に接続されるので、リード線の取り廻しが容易にできる。
【００４７】
また、吸込空気状態検知手段をパネルに取り付けることにより、組立性が向上する。
【００４８】
また、吸込空気状態検知手段を前面側熱交換器に取り付けることにより、組立性が向上する。
【００４９】
また、吸込空気状態検知手段をドレンパンに固定することにより、組立性が向上する。
【図面の簡単な説明】
【図１】  実施の形態１を示す図で、空気調和機の正面図である。
【図２】  実施の形態１，４，５を示す図で、空気調和機の断面図である。
【図３】  実施の形態２，３を示す図で、空気調和機の断面図である。
【図４】  実施の形態４，５を示す図で、空気調和機の正面図である。
【図５】  実施の形態６を示す図で、空気調和機の断面図である。
【図６】  実施の形態７を示す図で、空気調和機の断面図である。
【図７】  実施の形態８を示す図で、空気調和機の断面図である。
【図８】  従来の空気調和機を示す正面図である。
【図９】  従来の空気調和機を示す断面図である。
【符号の説明】
１  本体筐体、２  パネル、３  吸込口、４  送風機、５  熱交換器、５ａ  前面側熱交換器、５ｂ  背面側熱交換器、６  ドレンパン、７  制御部、８  エアフィルター、９  空気清浄フィルター、１０  アレルゲンセンサー、１１  リード線。
【図１】
0004156144.tif 000002
【図２】
0004156144.tif 000003
【図３】
0004156144.tif 000004
【図４】
0004156144.tif 000005
【図５】
0004156144.tif 000006
【図６】
0004156144.tif 000007
【図７】
0004156144.tif 000008
【図８】
0004156144.tif 000009
【図９】
0004156144.tif 000010